(57)【要約】【課題】口腔内の特異的な環境に係らず、従来に比べて正確に、第２起始点の位置を測定可能なインプラント用測定器具を提供することを目的とする。【解決手段】本発明は、インプラント中心間距離を測定するためのインプラント用測定器具（１）であって、少なくとも第１方向（ａ）に延出する第１板材（２）を有して構成されており、前記第１方向と直交する幅方向の一端側に、前記第１板材に対し、第１起始点の位置を固定する固定部（例えば、切欠き（５、６））を備え、前記幅方向の他端側で第２起始点の位置を測定可能としたことを特徴とする。本発明では、速く且つ正確に第２起始点の位置を測定しマークすることができる。【選択図】図１
2019097968.tif 000002
【特許請求の範囲】
【請求項１】
インプラント中心間距離を測定するためのインプラント用測定器具であって、
少なくとも第１方向に延出する第１板材を有して構成されており、
前記第１方向と直交する幅方向の一端側に、前記第１板材に対し、第１起始点の位置を固定する固定部を備え、前記幅方向の他端側で第２起始点の位置を測定可能としたことを特徴とするインプラント用測定器具。
【請求項２】
前記固定部は、前記第１起始点のマーク、或いは、インプラント埋入窩に挿入可能な凸部で構成されていることを特徴とする請求項１にインプラント用測定器具。
【請求項３】
前記固定部は、インプラント埋入窩に挿入されたピンに当接可能な切欠き、或いは孔で形成されることを特徴とする請求項１に記載のインプラント用測定器具。
【請求項４】
前記固定部から前記幅方向に向けて線が引かれていることを特徴とする請求項１から請求項３のいずれかに記載のインプラント用測定器具。
【請求項５】
前記第１板材には、前記第１方向に間隔を空けて複数の固定部が設けられており、前記第１板材の複数の位置で前記第２起始点の位置を測定可能としたことを特徴とする請求項１から請求項４のいずれかに記載のインプラント用測定器具。
【請求項６】
少なくとも前記第１方向とは異なる第２方向に延出する第２板材が設けられており、前記第１板材と前記第２板材とは一体で構成されており、
前記第１板材及び前記第２板材の双方に、前記固定部を備え、前記第１板材及び前記第２板材の双方で前記第２起始点の位置を測定可能としたことを特徴とする請求項１から請求項５のいずれかに記載のインプラント用測定器具。
【発明の詳細な説明】
【技術分野】
【０００１】
本発明は、インプラント用測定器具に関する。
【背景技術】
【０００２】
インプラント治療では、インプラント中心間距離の測定が重要になっている。インプラントの最近接距離が３ｍｍを下回ると、インプラント間の歯槽骨の吸収する可能性が高くなり、インプラントの長期の予後に問題があるとされている。
【０００３】
一方、インプラントはその本数が多い方が、インプラントにかかる咬合圧が小さくなり、インプラントの長期の予後が良いとされている。
【０００４】
以上により、埋入するインプラントの周囲の骨吸収の可能性を低くし（最近接距離を３ｍｍ以上確保）、インプラントの本数を多くするには、インプラントの直径に応じて、必要とされるインプラント中心間距離は定まる。例えば、インプラントの直径が４ｍｍであれば、インプラント中心間距離は７ｍｍ、インプラントの直径が５ｍｍであれば、インプラント中心間距離は８ｍｍであると求められる。このように、ｍｍ単位で正確な距離の測定が必要とされる。
【０００５】
例えば、現在、販売されている測定器具は、２本の針状の棒を開閉して、目的の距離に調整可能な構成である（例えば、特許文献１を参照）。従来の測定器具は、特許文献１に示すようなノギス型の他にハサミ型もある。
【０００６】
ところで、口腔内で使用される測定器具は、口腔内の特異的な環境下に置かれることにより、多くの制約を受ける。
【０００７】
特異的な環境下としては、口の大小、開口度の大小、口角の位置、インプラント埋入場所に隣接する歯や対合歯の状態、治療中の患者の動き、口腔内への光の届きやすさ、歯槽骨の表面性状、歯槽骨からの出血、及び、歯槽骨の吸収等が挙げられる。
【０００８】
上記した特異的な環境下では、測定器具を口腔内に挿入しにくかったり、測定器具の動きが制限されたり、測定器具の先端が見えづらかったり、或いは、測定器具の先端が歯槽骨上で不安定な状態で置かれる等の様々な制約を受ける。
【先行技術文献】
【特許文献】
【０００９】
【特許文献１】特開平８−１９６５５０号公報
【発明の概要】
【発明が解決しようとする課題】
【００１０】
上記の特異的な環境下では、測定器具の針先を、インプラントの第１起始点としての歯槽骨上に押し当てた状態で第２起始点の位置を測定しようとすると、歯槽骨の表面性状や患者の動き等で、針先が安定せず固定しづらい。この結果、第２起始点の位置測定が、不正確になりやすい。
【００１１】
このように、従来の測定器具では、第１起始点に針先を安定して固定しにくく、第２起始点の測定及びマーキングが不正確になる問題があった。従来では、第１起始点に固定できる器具がなかった。
【００１２】
また、従来の測定器具は、インプラント中心間距離を自由に設定できる。このため、術前や術中の距離の設定ミスや、針が動いて設定した距離が狂うという問題が起こる可能性がある。
【００１３】
また、従来の測定器具は、インプラント中心間距離を自由に設定可能という機能を持つ反面、測定器具そのものが大型になるという欠点ある。
【００１４】
このように器具の大型化ゆえに、上記の特異的な環境の影響により、口腔内での器具の動きが益々制限され、測定が更に不正確になりやすく、場合によっては、測定不可能となることがあった。
【００１５】
本発明は、かかる点に鑑みてなされたものであり、口腔内の特異的な環境に係らず、従来に比べて正確かつ確実に、インプラント中心間距離を測定可能なインプラント用測定器具を提供することを目的とする。
【課題を解決するための手段】
【００１６】
本発明は、インプラント中心間距離を測定するためのインプラント用測定器具であって、少なくとも第１方向に延出する第１板材を有して構成されており、前記第１方向と直交する幅方向の一端側に、前記第１板材に対し、第１起始点の位置を固定する固定部を備え、前記幅方向の他端側で第２起始点の位置を測定可能としたことを特徴とする。
【００１７】
本発明では、前記固定部は、前記第１起始点のマーク、或いは、インプラント埋入窩に挿入可能な凸部で構成されていることが好ましい。
【００１８】
或いは、本発明では、前記固定部は、インプラント埋入窩に挿入されたピンに当接可能な切欠き、或いは孔で形成されることが好ましい。
【００１９】
また、本発明では、前記固定部から前記幅方向に向けて線が引かれていることが好ましい。
【００２０】
また、本発明では、前記第１板材には、前記第１方向に間隔を空けて複数の固定部が設けられており、前記第１板材の複数の位置で前記第２起始点の位置を測定可能としたことが好ましい。
【００２１】
また、本発明では、少なくとも前記第１方向とは異なる第２方向に延出する第２板材が設けられており、前記第１板材と前記第２板材とは一体で構成されており、前記第１板材及び前記第２板材の双方に、前記固定部を備え、前記第１板材及び前記第２板材の双方で前記第２起始点の位置を測定可能としたことが好ましい。
【発明の効果】
【００２２】
本発明のインプラント用測定器具によれば、口腔内の特異的な環境に係らず、測定の際に第１起始点を安定して固定でき、従来に比べて、第２起始点へのアプローチが容易になり、速く且つ正確に第２起始点の位置を測定しマークすることができる。また、従来に比べて、インプラント用測定器具の大きさを小型化でき、口腔内の特異的な環境の影響をより受けにくくなり、より正確にインプラント中心間距離を測定し、第２起始点をマークすることが可能である。また、本発明のインプラント用測定器具によれば、三次元的に動かしやすい。すなわち、水平方向と垂直方向に自由に動かすことができ、形態が不規則な歯槽骨上でも、第２起始点の位置を正確に決めることができると共に、測定の自由度を向上させることができる。
【図面の簡単な説明】
【００２３】
【図１】本実施形態に係るインプラント用測定器具の斜視図である。
【図２】図１に示すインプラント用測定器具を用いて測定する際の使用形態を示す模式図である。
【図３】図１に示すインプラント用測定器具を用いた測定状態を説明するための図である。
【図４】本実施形態のインプラント用測定器具に設けられた、第１起始点の位置を固定する固定部の形状を説明するための平面図である。
【図５】起始点と、インプラント中心間距離と、インプラントの最近接距離との関係を説明するための模式図である。
【図６】別の実施形態に係るインプラント用測定器具の一部を示すと共に、該インプラント用測定器具を用いた測定状態を説明するための図である。
【図７】図６とは凸部の位置が異なるインプラント用測定器具の部分平面図及び側面図である。
【図８】インプラント埋入窩に、インプラント用測定器具に設けられたピンを挿入した測定状態を説明するための断面模式図である。
【図９】第１起始点のマーク断面形状を説明するための説明図である。
【図１０】第２起始点のマーク位置を説明するための説明図である。
【発明を実施するための形態】
【００２４】
以下、本発明の一実施の形態（以下、「実施形態」と略記する。）について、詳細に説明する。なお、本発明は、以下の実施形態に限定されるものではなく、その要旨の範囲内で種々変形して実施することができる。
【００２５】
本実施形態のインプラント用測定器具は、インプラント中心間距離を測定するための測定器具である。
【００２６】
図１は、本実施形態に係るインプラント用測定器具の斜視図である。図１に示す本実施形態のインプラント用測定器具１は、第１方向ａに延出する所定の厚みを有する第１板材２と、第１方向ａとは異なる第２方向ｂに延出する所定の厚みを有する第２板材３とが一体で構成された、屈曲した板材である。なお、限定するものではないが、第１板材２と第２板材３は、同じ厚みで形成されることが好ましい。
【００２７】
また、第１方向ａと第２方向ｂとの間の角度を限定するものでなく、任意に決めることができる。なお、第２板材３は、第１板材２の平面方向から離れる方向に屈曲して、インプラント用測定器具１は、立体的な形状を構成している。
【００２８】
この立体的な形状について詳述すると、例えば、本実施形態のインプラント用測定器具１は、平面的に略Ｖ字状の平板材を、第１板材２と台２板材３とに二分する略Ｖ字状の谷部の直線Ｓに沿って所定角度に折り曲げた形状である。
【００２９】
図１に示すように、第１板材２の表面側には、第１方向ａに直交する方向の寸法が、幅寸法ｃで形成された第１測定領域２ａが設けられている。また、第２板材３の表面側には、第２方向ｂに直交する方向の寸法が幅寸法ｃで形成された第２測定領域３ａが設けられている。
【００３０】
また、図１に示すように、第１板材２の裏面側（第１測定領域２ａとは反対側の面）には、第１方向ａに直交する方向の寸法が、幅寸法ｃで形成された第３測定領域２ｂが設けられている。また、図１に示すように、第２板材３の裏面側（第２測定領域３ａとは反対側の面）には、第２方向ｂに直交する方向の寸法が、幅寸法ｃで形成された第４測定領域３ｂが設けられている。
【００３１】
図２Ａに示す状態では、例えば、第２板材３側を手に持ち、第１測定領域２ａを表向きにして検査測定に使用する使用形態である。また、図２Ｂでは、図２Ａの状態から裏返し、第２板材３側を手に持ち、第３測定領域２ｂを表向きにして検査測定に使用する使用形態である。また、図２Ｃでは、図２Ａの状態から回転させ、第１板材２を手に持ち、第２測定領域３ａを表向きにして検査測定に使用する使用形態である。また、図２Ｄでは、図２Ｃの状態から裏返し、第１板材２側を手に持ち、第４測定領域３ｂを表向きにして検査測定に使用する使用形態である。
【００３２】
このように、１つのインプラント用測定器具１で４面の測定領域を使用でき、また、測定の際、頬側からのアプローチと、舌側からのアプローチを合わせると計８通りの使用形態を提示することができる。このため、現在販売されている測定器具と比較して、口腔内の特異的な環境の影響を適切に回避でき、容易且つ正確に測定及びマーキングを実施することが可能である。
【００３３】
以下、本実施形態のインプラント用測定器具１を用いた測定方法について説明する。なお、測定には代表して第３測定領域２ｂを用いるが、他の測定領域にいても同じように使用して測定することが可能である。
【００３４】
図３Ａは、図１に示すインプラント用測定器具１の第１板材２の第３測定領域２ｂ側を上向きに示した部分斜視図である。図３Ｂは、第１板材２の第３測定領域２ｂ側を上向きに示した平面図である。図３Ｃは、インプラント用測定器具１を用い、第２起始点をマークした際の状態を示す断面図である。図１、図３Ａ、及び図３Ｂに示すように、第１板材２の端部には、第１方向ａに間隔を空けて、複数の切欠き５、６が形成されている。切欠き５と、切欠き６は、別々の端部２ｃ、２ｄに形成されている。この実施形態では、切欠き５、６は、例えば、半円状であるが形状を限定するものではない。
【００３５】
図３Ｂに示すように、各切欠き５、６の中央から幅方向に平行な線Ａ、Ｂが引かれている。例えば、インプラント用測定器具１を構成する板材は、金属であり、金属表面に、例えば、線Ａ、Ｂが刻み込まれている。或いは、線Ａ、Ｂが着色されていてもよい。線Ａ、Ｂは、起始点の中心間（インプラントの中心間）を直線状に結ぶ線である。線Ａ、Ｂは、第１起始点から第２起始点までの最短距離を知るために設けられた表示であり、線Ａ、Ｂの一方の端部に第１起始点を、他方の端部に第２起始点を置けば、インプラント中心間距離を正確に測ることが可能である。
【００３６】
図１〜図３に示す第１実施形態のインプラント用測定器具１を用いた測定は、図３Ｃに示すように、歯槽骨８に形成されたインプラント埋入窩８ａに合ったピン９が既に挿入された状態を想定している。インプラント埋入窩８ａは、深さ方向に、例えば、細いドリル径から太いドリル径の順に大きさが拡大している。なお、骨内部分と、骨縁上の部分のピン９の直径は同一でなくてもよい。ピン９の場合、骨縁上の部分の直径が問題で、骨内部分の形態は何でもよい（固定されていればよい）。
【００３７】
このとき、図３Ａ〜図３Ｃに示すように、ピン９を、インプラント用測定器具１の第１板材２の端部２ｃに形成された切欠き５に当てはめ、インプラント用測定器具１をピン９に固定する。切欠き５は、例えば、ピン９の外周に沿った形状であるから適切にピン９に固定でき、インプラント用測定器具１が測定時に動いてしまう等の不具合を抑制できる。なお、切欠き５が半円形であるとき、半円形の直径と、ピン９の直径とは必ずしも一致していなくてよい。ピン９にインプラント用測定器具１を固定することが重要である。
【００３８】
ピン９の中心は、第１起始点の中心である。よって、図３Ａ〜図３Ｃに示すように、インプラント用測定器具１の第１板材２を切欠き５を介してピン９に固定することで、第１板材２に対し、第１起始点の位置を確実に固定することができる。したがって、第１板材２に形成された切欠き５、６は、第１板材２に対し、第１起始点の位置を固定する「固定部」として機能する。なお、上記したように、固定部である切欠き５、６は完全な半円状である必要はない。なお、固定部は、切欠き５、６でなく平面状（直線状）であってもよい。
【００３９】
そして、図３Ａ〜図３Ｃに示すように、線Ａに沿って、切欠き５と反対側の端部２ｄにラウンドドリル１０を宛がい、ラウンドドリル１０を用いて、歯槽骨８に第２起始点をマークする。
【００４０】
既に記載したように、第１板材２は、幅寸法ｃで形成される。ここで、「幅寸法ｃ」は、第１板材２の一方の直線状の端部２ｃから他方の直線状の端部２ｄまでの間の長さであり、切欠き５、６の凹み部分は含んでいない。また、ピン９を切欠き５に当接させたとき、ピン９の中心が、端部２ｃの線上に位置するように、切欠き５の形状及び大きさが規制されている。すなわち、ピン９の断面が、所定の半径を有する円形であるとき、切欠き５、６は、一例として、その半円形である。これにより、ピン９の中心である第１起始点の中心は、端部２ｃの線上に位置する。また、ラウンドドリル１０は、直径ｒ（ｍｍ）である。
【００４１】
よって、インプラント中心間距離（第１起始点と第２起始点の中心間距離）ｙは、図３Ｃに示すように、ｃ＋ｒ／２で示すことができる。ただし、これは切欠き５、６が半円の場合であり、半円でない場合（平面状を含む）は、例えば、その不足分を追加すること等が必要になる。
【００４２】
以上により、本実施形態のインプラント用測定器具１によれば、口腔内の特異的な環境に係らず、第１板材２に対し、第１起始点の位置を適切に固定することができる。したがって、第２起始点の測定を速く且つ正確に行うことができ、インプラント中心間距離を高精度に測定することができる。そして、第２起始点を速く且つ正確に形成（マーク）することができる。上記では、第１板材２の第３測定領域２ｂを用いた測定であったが、第１板材２の第１測定領域２ａ、及び、第２板材３の各測定領域３ａ、３ｂを用いた測定であっても同様の効果を奏する。
【００４３】
また、本実施形態では、インプラント用測定器具１を、三次元的に動かしやすい。すなわち、ピン９を切欠き５、６に当接させた状態で、インプラント用測定器具１を水平方向及び垂直方向に自由に動かすことができ、形態が不規則な歯槽骨８上でも、第２起始点の位置を正確に決めることができると共に、測定の自由度を向上させることができる。
【００４４】
また、本実施形態のインプラント用測定器具１は、板材で形成されており、板材の幅を用いてインプラント中心間距離を測定する。これにより、従来に比べて、インプラント用測定器具１の大きさを小型化できる。よって、口腔内の特異的な環境の影響を、従来に比べて受けにくくなり、第２起始点の測定及び形成（マーク）を、より正確に行うことが可能である。
【００４５】
図４Ａは、図３Ｂの一部を拡大して示した部分拡大平面図である。図４Ａは、図３Ｂの切欠き５及び、切欠き５の中央から幅方向に延出する線Ａを拡大して示した。図４Ｂに示すように、切欠き１１の形状或いは大きさは、図４Ａの切欠き５と異なっていてもよい。インプラント埋入窩８ａに挿入されたピン９の大きさや形状に合わせて切欠きの形状や大きさを設定することができる。また、各切欠きは、同じ形状及び大きさであってもよいし、異なる形状或いは大きさであってもよい。また、図４Ｂにおいて、切欠き１１にピン９を当接させたとき、端部２ｃの線上にピン９の中心が位置せず、端部２ｃの外側にずれている場合、そのずれた部分だけ、インプラント中心間距離（第１起始点と第２起始点の中心間距離）ｙは、長くなるため、線Ａの長さを調整することが必要である。
【００４６】
また、図４Ｃに示すように、ピン９の固定部として端部２ｃ寄りに孔１２を形成し、ピン９を孔１２に挿入して、固定してもよい。このとき、ピン９の大きさに合わせて孔１２を形成することで、ピン９の外周を適切に孔１２に当接させることができ、第１板材２に対して、第１起始点の位置を固定することができる。図４Ｃでは、孔１２に挿入されたピン９の中心が、端部２ｃよりも内側に位置するので、その内側にずれた分だけ、インプラント中心間距離（第１起始点と第２起始点の中心間距離）ｙは、短くなるため、線Ａの長さを調整することが必要である。ピン９の直径と線Ａの長さとに相関関係があるため、ピン９の直径に応じて、線Ａの長さを調整する。
【００４７】
図１〜図３に示すように、第１板材２及び第２板材３には夫々、複数の切欠き５、６が設けられており、各切欠き５、６は夫々、別々の端部２ｃ、２ｄに形成されている。したがって、第１起始点及び第２起始点が板材を挟んで左右のどちらに位置していても、切欠き５、６のどちらかを使用することで、インプラント中心間距離を適切に測定することができる。このように、第１起始点と第２起始点との位置関係に応じて、インプラント用測定器具１を、切欠き部５の位置、或いは、切欠き６の位置にずらして使用すればよいので、使い勝手がよく、簡単に、インプラント中心間距離を測定することができる。
【００４８】
図５は、各起始点と、インプラント中心間距離と、インプラントの最近接距離との関係を示す。符号Ｃが第１起始点、符号Ｄが第２起始点、符号Ｅが第１インプラント、及び、符号Ｆが第２インプラントである。
【００４９】
インプラントＥ、Ｆ間の最近接距離ｄは、インプラント中心間距離ｙ−埋入されるインプラントＥの半径とインプラントＦの半径との合計で示される。なお、この実施形態では、インプラントＥ、Ｆの直径を同じとし、インプラントＥ、Ｆの半径を、共にＲとした。よって、この実施形態では、各インプラントＥ、Ｆの半径の合計は、半径Ｒ×２で示される。
【００５０】
埋入するインプラントの周囲の骨吸収の可能性を低くするには、最近接距離ｄを３ｍｍ以上とすることが好ましい。また、インプラントはその本数が多い方が、インプラントにかかる咬合圧を小さくできるため、インプラントの本数を多くすることが好ましい。この結果、最近接距離ｄを最低限３ｍｍとすれば、骨吸収の可能性を低くできると共に、インプラントの本数を多くできる。図５により、最近接距離ｄを３ｍｍとし、例えば、インプラントＥ、Ｆの直径（半径Ｒ×２）がともに４ｍｍであるとき、インプラント中心間距離ｙは７ｍｍ、インプラントＥ，Ｆの直径（半径Ｒ×２）がともに５ｍｍであるとき、インプラント中心間距離ｙは８ｍｍと求めることができる。なお、各インプラントの直径は異なる場合もあるため、各インプラントの半径の合計に基づいて、インプラント中心間距離ｙを求めることができる。
【００５１】
本実施形態のインプラント用測定器具１を用いれば、このようなｍｍ単位のインプラント中心間距離を、従来に比べて正確に且つ高い自由度で測定することができる。その結果、第２起始点を正確な位置にマークすることができる。
【００５２】
図６を用いて、第２実施形態のインプラント用測定器具２０について説明する。図６Ａは、インプラント用測定器具２０の第１板材２を示す部分斜視図である。図６Ｂは、第１板材２の平面図である。図６Ｃは、主に、凸部２１の形状を示す平面図、及び側面図である。図６Ｄは、インプラント用測定器具２０を用い、第２起始点をマークした際の状態を示す断面図である。
【００５３】
図６Ａ、図６Ｂに示すように、第１板材２の端部２ｃ、２ｄには、第１方向ａに間隔を空けて、複数の凸部２１、２２が形成されている。凸部２１と、凸部２２は、夫々、別々の端部２ｃ、２ｄに形成されている。また、凸部２１は、図６Ｃに示すように、第１板材２の表面及び裏面の夫々から隆起している。凸部２２についても同様である。なお、凸部２１、２２は、第１板材２の表面及び裏面の一方側にのみ突出していてもよいが、その場合は、裏返したときに凸部２１、２２を利用した測定ができないため、裏返しても使えるように、板材の両面から夫々突出していたほうが好ましい。例えば、凸部２１、２２は、断面が円状である。また、凸部２１、２２の表面は、曲面状（例えば球状）である。凸部２１、２２の形状は、第１起始点のマーク形状に合わせて形成されることが好ましい。このとき、例えば、第１起始点をマークするラウンドドリルの直径と、第１起始点に挿入される凸部の球状の直径との緩みが最小にするように調整される。
【００５４】
図６Ｄに示すように、歯槽骨８に形成された第１起始点のマーク８ｂの位置に凸部２１を宛がい、固定する。このとき、凸部２１の表面は、マーク８ｂの表面に合わせた形状（図６Ｄでは湾曲形状）であるため、凸部２１をマーク８ｂにフィットさせることができる。これにより、第１起始点の位置を固定することができ、凸部２１、２２は、第１起始点の位置を固定する「固定部」として機能する。
【００５５】
そして、図６Ａ、図６Ｂ、及び図６Ｄに示すように、線Ａに沿って凸部２１と反対側の端部にラウンドドリル１０を宛がい、歯槽骨８に第２起始点をマークする。
【００５６】
この実施形態では、図６Ｄに示すように、第１起始点の中心、凸部２１の中心、及び端部２ｃが、一直線上に位置している。そのため、図６Ｄに示すように、第１起始点と第２起始点の中心間距離（インプラント中心間距離）ｙは、図３Ｃと同様に、ｃ＋ｒ／２（ｒは、ラウンドドリルの直径）で示すことができる。
【００５７】
また、図６Ｄの構成では、インプラント用測定器具２０を、マーク８ｂに当接した凸部２１のＰ点を中心にして、水平方向及び垂直方向に自由に動かすことができ、形態が不規則な歯槽骨８上でも、第２起始点の位置を正確に決めることができると共に、測定の自由度を向上させることができる。
【００５８】
図７Ａに示すように、凸部２１全体を、端部２ｃの外側に設けることもできる。図７Ａの上図は平面図であり、図７Ａの下図は、平面図を矢印方向から見た側面図である。図７Aの構成では、凸部２１の縁部が、端部２ｃに接した位置にあり、凸部２１の半径分（ｒ／２）だけ、図６Ｄよりもインプラント中心間距離ｙが長くなる。
【００５９】
また、図７Ｂに示すように、凸部２１を端部２ｃの内側に設けることもできる。図７Ｂの上図は平面図であり、図７Ｂの下図は、平面図を矢印方向から見た側面図である。図７Ｂの構成では、凸部２１の縁部が、端部２ｃに接した位置にあり、凸部２１の半径分（ｒ／２）だけ、図６Ｄよりもインプラント中心間距離ｙが短くなる。なお、図７Ａ、図７Ｂにおいて、互いに、幅寸法ｃを調整することで、目的のインプラント中心間距離にすることができる。
【００６０】
図６Ｄでは、歯槽骨８に第１起始点のマーク８ｂが形成されていたが、図８に示すように、歯槽骨８にインプラント埋入窩８ｃが形成されている場合、凸部２１、２２をインプラント埋入窩８ｃに挿入可能な凸部２３で構成し、凸部２３をインプラント埋入窩８ｃに挿入することで、インプラント用測定器具２０を、固定することが可能である。このとき、インプラント埋入窩８ｃを形成するドリルの直径と、インプラント埋入窩８ｃに挿入される凸部２３の直径は、緩みが最小になるように調整される。インプラント埋入窩８ｃの中心は、第１起始点の中心であるため、凸部２３をインプラント埋入窩８ｃに挿入することで、第１起始点の位置を固定することができる。これにより、歯槽骨８に第２起始点を、ラウンドドリル１０により、正確にマークすることができる。
【００６１】
図８に示す凸部２３は、半径分だけ端部２ｃから外側に出っ張っているが、図７Ａに示すように、凸部２３全体が端部２ｃの外側に位置していても、図７Ｂのように、凸部２３全体が端部２ｃの内側に位置していてもよい。
【００６２】
第１起始点のマーク形状については、使用するドリル形状に応じて、図９Ａのようにマーク２５を球状とすることができ、或いは、図９Ｂに示すように、マーク２６を三角錐状とすることができ、又は、図９Ｃに示すようにマーク２７を円柱状とすることができる。ただし、本実施形態では、第１起始点のマーク形状を限定するものではない。第１起始点のマーク形状に応じて、図６Ａに示す凸部２１、２２の表面形状を設定することができる。
【００６３】
図１０は、ラウンドドリル１０を宛がう側の端部形状の一例である。例えば、図１０Ａに示すように、凸部２１が形成された端部２ｃと反対側の端部２ｄであって線Ａと交わる点Ｇがラウンドドリル１０を宛がう位置である。図１０Ａのように、例えば、ラウンドドリル１０を点Ｇの位置に宛がい、ラウンドドリルにより第２起始点のマークを付与することができる。なお、図９Ｂや図９Ｃに示すように、ラウンドドリル以外であってもよい。或いは、図１０Ｂに示すように、直線Ａと交わる位置の端部を、例えば、ラウンドドリル形状に合わせた切欠き３０にて形成することができる。この切欠き３０の位置にラウンドドリル１０を宛がうことで、ラウンドドリル１０を、インプラント用測定器具２０に対して、安定して配置することができる。図１０Ｂと図１０Ｃとでは、切欠き３０、３１の形状が異なっている。なお、切欠き３０、３１の大きさ（直径）が異なっていてもよい。図１０Ａでは、インプラント中心間距離ｙを、ｃ＋ｒ／２（ｃは、板材の幅寸法、ｒは、ラウンドドリルの直径）として測定できるが、図１０Ｂ及び図１０Ｃでは、図１０Ａよりも、ラウンドドリル１０の中心位置１０ａが板材の内側に移動するため、中心位置１０ａの移動分だけ、インプラント中心間距離ｙは短くなるため、幅寸法ｃにて調整する。
【００６４】
なお、本発明は上記各実施形態に限定されず、種々変更して実施することが可能である。上記実施形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６５】
本実施形におけるインプラント用測定器具は、第１板材２と第２板材３とが屈曲して一体に設けられているが、例えば、第１板材のみで構成されていてもよい。或いは、３方向以上の板材が一体的に組み合わされた構成でもよい。
【００６６】
また、図１に示す切欠き５、６による固定部、図６に示す凸部２１、２２による固定部、及び、図８に示す凸部２３による固定部のうち２以上の固定部を、一つのインプラント用測定器具に設けてもよい。
【産業上の利用可能性】
【００６７】
以上説明したように、本発明のインプラント用測定器具によれば、口腔内の特異的な環境下に置かれても、安定して、インプラント中心間距離を測定し、第２起始点をマークすることができる。例えば、本発明のインプラント用測定器具を、立体的に２方向に屈曲した形状とすることで、測定するアプローチ方向を、頬側からのアプローチと舌側からのアプローチを合わせて理論上８通りにでき、測定の自由度を向上させることができる。
【符号の説明】
【００６８】
１、２０  ：インプラント用測定器具
２  ：第１板材
２ａ  ：第１測定領域
２ｂ  ：第３測定領域
２ｃ、２ｄ  ：端部
３  ：第２板材
３ａ  ：第２測定領域
３ｂ  ：第４測定領域
５、６、１１、３０、３１  ：切欠き部
８  ：歯槽骨
８ａ、８ｃ  ：インプラント埋入窩
８ｂ  ：マーク
９  ：ピン
１０  ：ラウンドドリル
１２  ：孔
２１、２２、２３  ：凸部
２５、２６、２７  ：マーク
Ｃ    ：第１起始点
Ｄ    ：第２起始点
Ｅ、Ｆ  ：インプラント
ｙ  ：インプラント中心間距離
【図１】
2019097968.tif 000003
【図２】
2019097968.tif 000004
【図３】
2019097968.tif 000005
【図４】
2019097968.tif 000006
【図５】
2019097968.tif 000007
【図６】
2019097968.tif 000008
【図７】
2019097968.tif 000009
【図８】
2019097968.tif 000010
【図９】
2019097968.tif 000011
【図１０】
2019097968.tif 000012